(57)【要約】【課題】利用者毎にボタン操作の可否を設定可能なリモコン装置を提供すること。【解決手段】認証情報読取部を兼ねる１以上のボタンと、利用者毎に認証情報とボタン操作の許否情報とを関連付けて記憶する記憶部と、前記認証情報読取部によって読み取られた認証情報が、前記記憶部に記憶されてる認証情報のいずれかに一致するか否かを判定する認証部と、認証情報が一致する利用者に対するボタン操作の許否情報に基づいて、操作されたボタンの有効又は無効を設定する制御部と、を備えることとする。【選択図】図１
2014045419.tif 000002
【特許請求の範囲】
【請求項１】
認証情報読取部を兼ねる１以上のボタンと、
利用者毎に認証情報とボタン操作の許否情報とを関連付けて記憶する記憶部と、
前記認証情報読取部によって読み取られた認証情報が、前記記憶部に記憶されてる認証情報のいずれかに一致するか否かを判定する認証部と、
認証情報が一致する利用者に対するボタン操作の許否情報に基づいて、操作されたボタンの有効又は無効を設定する制御部と、
を備えることを特徴とするリモコン装置。
【請求項２】
ボタン操作の許否情報は、変更可能であることを特徴とする請求項１に記載のリモコン装置。
【請求項３】
認証情報が一致してから所定時間は、認証情報が一致する利用者に対するボタン操作の許否情報に基づいて、有効又は無効を設定可能な全てのボタンの有効又は無効を設定し、所定時間内であれば認証情報が一致しなくても有効に設定されたボタンを操作可能であることを特徴とする請求項１又は請求項２に記載のリモコン装置。
【請求項４】
前記制御部は認証情報が一致しない利用者によりボタン操作が行われたときに、所定の制御を行うことを特徴とする請求項１〜請求項３のいずれか１項に記載のリモコン装置。
【請求項５】
監視設定部を備え、
前記制御部は監視設定がなされているときに限り、前記所定の制御を行うことを特徴とする請求項４に記載のリモコン装置。
【請求項６】
前記所定の制御は認証情報が一致しない利用者の認証情報とボタン操作時刻とを対応付けて前記記憶部に記憶する制御であることを特徴とする請求項４又は請求項５に記載のリモコン装置。
【請求項７】
報知部を備え、
前記所定の制御は、前記報知部を介して認証情報が一致しない利用者によりボタン操作が行われたことを報知する制御であることを特徴とする請求項４〜請求項６のいずれか１項に記載のリモコン装置。
【請求項８】
全てのボタンが認証情報読取部を兼ねることを特徴とする請求項１〜請求項７のいずれか１項に記載のリモコン装置。
【請求項９】
ボタンとは独立した他の認証情報読取部を備え、前記他の認証情報読取部によって読み取られた認証情報が、前記記憶部に記憶されてる認証情報のいずれかに一致するときは、認証中又は認証してから所定時間、有効又は無効を設定可能な全てのボタンの有効又は無効を設定することを特徴とする請求項１〜請求項８のいずれか１項に記載のリモコン装置。
【発明の詳細な説明】
【技術分野】
【０００１】
本発明は、リモコン装置に関する。
【背景技術】
【０００２】
テレビ装置、ＢＤプレーヤ、ＤＶＤプレーヤその他多くの電気機器には、その電気機器を遠隔操作するためのリモコン装置が付属されている。リモコン装置には操作ボタンが配され、各操作ボタンを操作する（押下やタッチする）ことで電気機器の機能を使用することができる。
【０００３】
リモコン装置は一般的に誰でも使用可能である。しかしながら、安全上、他人による操作の防止等の観点から特定人に対して電気機器の一部又は全部の機能を使用不可とし又は使用可とすることが望まれることがある。そのために特定人に対してリモコン装置の使用（ボタン操作）を制限することが望ましい。
【０００４】
特許文献１には再生装置を遠隔操作するリモコン装置の中断ボタンと停止ボタンに指紋読取装置を設けることが記載されている。このリモコン装置は中断ボタンを押下した者の指紋情報と中断位置を記憶する。そして停止ボタンが押下されたときに、停止ボタンを押下した者の指紋情報に一致する指紋情報を検索し、一致する指紋情報に対応付けられた中断位置から再生を再開する。
【先行技術文献】
【特許文献】
【０００５】
【特許文献１】特開２００６−５７５９号公報
【発明の概要】
【発明が解決しようとする課題】
【０００６】
特許文献１のリモコン装置によれば、何らかの事情で動画の再生を中断しても、容易に中断位置から再生を再開することができる。しかしながら特定人によるリモコン装置の使用（ボタン操作）を制限するものではない。
【０００７】
本発明は上述した問題点に鑑み、利用者毎にボタン操作の可否を設定可能なリモコン装置を提供することを目的とする。
【課題を解決するための手段】
【０００８】
上記目的を達成するために本発明のリモコン装置は、認証情報読取部を兼ねる１以上のボタンと、利用者毎に認証情報とボタン操作の許否情報とを関連付けて記憶する記憶部と、前記認証情報読取部によって読み取られた認証情報が、前記記憶部に記憶されてる認証情報のいずれかに一致するか否かを判定する認証部と、認証情報が一致する利用者に対するボタン操作の許否情報に基づいて、操作されたボタンの有効又は無効を設定する制御部と、を備えることを特徴とする。
【０００９】
この構成によれば、認証情報読取部を兼ねる１以上のボタンを備え、このボタンを操作すると利用者の認証情報が読み取られる。読み取られた認証情報は、記憶部に記憶されている認証情報に照合される。一致する認証情報が存在する場合にはボタン操作の許否情報に基づいて、操作されたボタンの有効又は無効が設定される。これによって利用者毎に操作されたボタンの有効又は無効が設定される。
【００１０】
また上記構成のリモコン装置において、ボタン操作の許否情報は、変更可能であることが望ましい。
【００１１】
この構成によれば、利用者毎にボタン操作の許否情報、すなわち特定の利用者に対してどのボタンを有効（使用可能）とし、どのボタンを無効（使用不可）とするかを変更することができる。
【００１２】
また上記構成のリモコン装置において、認証情報が一致してから所定時間は、認証情報が一致する利用者に対するボタン操作の許否情報に基づいて、有効又は無効を設定可能な全てのボタンの有効又は無効を設定し、所定時間内であれば認証情報が一致しなくても有効に設定されたボタンを操作可能であることが望ましい。
【００１３】
この構成によれば、一度、認証情報が一致すれば所定時間、有効又は無効を設定可能な全てのボタンの有効又は無効が設定される。従って、その所定時間内であれば認証情報が一致しなくても有効に設定されたボタンが操作可能になる。これによって所定時間内であれば、認証判定の厳格化や認証情報の読み込みエラー等により認証情報が一致しなくても使用可能になる。
【００１４】
また上記構成のリモコン装置において、前記制御部は認証情報が一致しない利用者によりボタン操作が行われたときに、所定の制御を行うことが望ましい。
【００１５】
この構成によれば、認証情報が一致しない利用者によりボタン操作が行われたときに所定の制御を行う。従って、認証情報が一致しない者によりボタン操作が行われたことを知らせることができる。
【００１６】
また上記構成のリモコン装置において、監視設定部を備え、前記制御部は監視設定がなされているときに限り、前記所定の制御を行うことが望ましい。
【００１７】
この構成によれば、認証情報が一致しない利用者によりボタン操作が行われ、且つ、監視設定がなされているときに限り所定の制御が行われる。従って、過度に所定の制御が行われるのを防ぐことができる。
【００１８】
また上記構成のリモコン装置において、前記所定の制御は認証情報が一致しない利用者の認証情報とボタン操作時刻とを対応付けて前記記憶部に記憶する制御であることが望ましい。
【００１９】
この構成によれば、認証情報が一致しない利用者の認証情報とボタン操作時刻とを対応付けて記憶する。従って、例えば認証情報が一致しない利用者の認証情報とボタン操作時刻を表示手段に表示させることで、いつ認証情報が一致しない利用者によってボタン操作が行われたかを知ることができる。
【００２０】
また上記構成のリモコン装置において、報知部を備え、前記所定の制御は、前記報知部を介して認証情報が一致しない利用者によりボタン操作が行われたことを報知する制御であることが望ましい。
【００２１】
この構成によれば、報知部を介して認証情報が一致しない利用者によりボタン操作が行われたことを報知する。従って、認証情報が一致しない利用者によってボタン操作が行われたことを知ることができる。
【００２２】
また上記構成のリモコン装置において、全てのボタンが認証情報読取部を兼ねることが望ましい。
【００２３】
この構成によれば、全てのボタンのボタン操作を行う度に指紋認証が必要になる。従ってセキュリティが向上する。
【００２４】
また上記構成のリモコン装置において、ボタンとは独立した他の認証情報読取部を備え、前記他の認証情報読取部によって読み取られた認証情報が、前記記憶部に記憶されてる認証情報のいずれかに一致するときは、認証中又は認証してから所定時間、有効又は無効を設定可能な全てのボタンの有効又は無効を設定することが望ましい。
【００２５】
この構成によれば、ボタンとは独立した他の認証情報読取部によって読み取られた認証情報が、記憶部に記憶されてる認証情報のいずれかに一致するときは認証中又は認証してから所定時間、個々のボタンについて認証情報が一致しなくても有効に設定されているボタンを使用することができる。
【発明の効果】
【００２６】
本発明によれば、認証情報読取部を兼ねる１以上のボタンを備え、このボタンを操作すると利用者の認証情報が読み取られる。読み取られた認証情報は、記憶部に記憶されている認証情報に照合される。一致する認証情報が存在する場合にはボタン操作の許否情報に基づいて、操作されたボタンの有効又は無効が設定される。これによって利用者毎に操作されたボタンの有効又は無効が設定される。
【図面の簡単な説明】
【００２７】
【図１】第１実施形態のリモコン装置の構成を示すのブロック図
【図２】第１実施形態のリモコン装置を示す平面図
【図３】第１実施形態のリモコン装置の制御部が記憶する情報テーブル
【図４】第１実施形態のリモコン装置の制御部が実行する処理を示すフローチャート
【図５】第２実施形態のリモコン装置の制御部が実行する処理を示すフローチャート
【図６】第３実施形態のリモコン装置の構成を示すのブロック図
【図７】第３実施形態のリモコン装置の制御部が実行する処理を示すフローチャート
【発明を実施するための形態】
【００２８】
[第１実施形態]
以下に本発明のリモコン装置について図面を参照して説明する。但し、以下に示す実施形態は、本発明の技術的思想を具体化するために本発明のリモコン装置の一例としてＢＤプレーヤ（不図示）のリモコン装置を示すものである。従って本発明をこのリモコン装置に特定することを意図するものではない。特許請求の範囲に含まれるその他の実施形態のリモコン装置、例えばテレビ装置やＤＶＤプレーヤ等の電気機器のリモコン装置にも等しく適応し得るものである。図１は本実施形態のリモコン装置の構成を示すブロック図である。図２は本実施形態のリモコン装置を示す平面図である。
【００２９】
リモコン装置１は制御部２、ボタン３、認証情報読取部４、通信部５、記憶部６を備える。制御部２はリモコン装置１全体を制御する制御手段である。また制御部２は後述するように認証情報が一致するか否かを判定して、その結果に応じて所定の制御を行う。
【００３０】
ボタン３はＢＤプレーヤが有する機能を使用するための入力手段である。例えば図２に示すようにボタン３は、電源ボタン３１０、選局ボタン３２０、メニュー操作ボタン３３０、録画再生ボタン３４０などから構成される。
【００３１】
認証情報読取部４は指紋、静脈その他生体認証情報を読み取る認証情報読取手段である。以下、本実施形態で認証情報読取部４は指紋情報を読み取る指紋センサ４ａを備えることとする。本実施形態において指紋センサ４ａはボタン３の内面側にボタン３に対向して配される。従って利用者が指でボタン３を操作すると指紋センサ４ａによって利用者の指紋情報が読み取られて制御部２に出力される。つまりボタン３は認証情報読取部４を兼ねているということができる。
【００３２】
なお、ボタン３自身が指紋情報読取機能を備えることとしてもよい。また、指紋センサ４ａはボタン３毎に配することとしてもよいし、複数のボタン３を一組として組毎に配することとしてもよい。本実施形態では電源ボタン３１０に対して１の指紋センサ４ａを配し、選局ボタン３２０、メニュー操作ボタン３３０、録画再生ボタン３４０に対して夫々が有する複数のボタン３に共通の指紋センサ４ａを配することとする。
【００３３】
なお、本実施形態では全てのボタン３が認証情報読取部４を兼ねているが、一部のボタン３が認証情報読取部４を兼ねることとしてもよい。
【００３４】
通信部５はボタン３の操作に応じた操作指示の無線信号（例えば赤外線信号）を送信する。ＢＤプレーヤの制御部（不図示）は受信した無線信号に基づいてＢＤプレーヤ全体を制御する。
【００３５】
記憶部６は各種情報を記憶する。本実施形態では、利用者の指紋情報、各指紋情報に対応付けられたボタン操作の許否情報を含む情報が記憶される。図３は指紋情報に対応付けられたボタン操作の許否情報の一例を示す情報テーブルである。利用者毎に操作可能（有効）なボタンと操作不能（無効）なボタンが対応付けられて記憶される。なお、本実施形態では選局ボタン３２０、メニュー操作ボタン３３０、録画再生ボタン３４０が複数のボタンを有し、夫々を一組として扱って組単位でボタン操作の有効、無効を定めているがこれに限られるものではない。例えば選局ボタン３２０が有するボタン（数字ボタン）毎にボタン操作の有効、無効を定めてもよい。
【００３６】
各利用者の許否情報として、例えば利用者毎に全てのボタン３の使用を可能とする設定と、全てのボタン３の使用を不可にする設定のいずれかを選択するようにしてもよいが、図３に示すように利用者毎にどのボタンの使用を可能とし、どのボタンの使用を不可とするかを自由にカスタマイズできる（変更可能である）こととしてもよい。
【００３７】
各利用者の指紋情報としては１本の指の指紋情報を記憶することとしてもよいし、複数本の指の指紋情報を記憶することとしてもよい。例えば両手の指（すなわち１０本の指）の指紋を利用者Ａの指紋情報として登録しておくことで、利用者Ａがどの指を使用してボタン３を操作しても制御部２は現在ボタン３を操作しているのが利用者Ａであると判定することができる。
【００３８】
また、指紋センサ４ａによって読み取られた指紋情報と１の利用者の指紋情報が一致すると判定されたときは、最新の指紋情報、すなわち指紋センサ４ａによって読み取られた指紋情報をその利用者の指紋情報として差し替えて記憶することとしてもよい。
【００３９】
記憶部６はリモコン装置１に内蔵される記録媒体であることとしてもよいし、リモコン装置１に接続可能な外部記憶媒体（例えばＳＤカード）であることとしてもよい。
【００４０】
以下、本実施形態のリモコン装置１の制御部２が実行する処理について図４を参照して説明する。なお本実施形態において全てのボタン３は初期状態において無効（操作不可）に設定されており、リモコン装置１の利用者に応じてその都度、操作されたボタンを有効に設定するものとする。
【００４１】
但し本実施形態に示す初期状態におけるボタン３の有効／無効設定は一例であって、例えば初期状態において全てボタン３が有効に設定されていてもよいし、一部のボタン３が無効に設定されるとともに残りのボタン３が有効に設定されていることとしてもよい。特定のボタン３が初期状態において有効に設定されているときは、リモコン装置１の利用者に応じてその都度、そのボタン３を無効に設定することとすればよい。
【００４２】
ステップＳ０１において制御部２は指紋センサ４ａによって指紋情報が読み取られたか否かを判定する。指紋情報が読み取られていれば（ステップＳ０１のＹ）ステップＳ０２に進み、指紋情報が読み取られていなければ（ステップＳ０１のＮ）ステップＳ０１に戻る。
【００４３】
ステップＳ０２において制御部２は指紋センサ４ａによって読み取られた指紋情報（すなわちステップＳ０１で読み取られた指紋情報）が、記憶部６に記憶されている指紋情報のいずれかに一致するか否かを判定する。指紋情報が一致すれば（ステップＳ０２のＹ）ステップＳ０３に進み、指紋情報が一致しなければ（ステップＳ０２のＮ）ステップＳ０１に戻る、又は、処理を終了する。
【００４４】
指紋情報が一致するか否かは、ステップＳ０１で読み取られた指紋情報と記憶部６に記憶されている指紋情報を比較し、照合率（一致率）が閾値以上であれば一致すると判定する。
【００４５】
ステップＳ０３において制御部２は指紋情報が一致した利用者に対応付けられた許否情報に基づいて操作されたボタン３の有効／無効を設定する（本実施形態においては操作されたボタン３を有効に設定する）。図３を参照して、例えば制御部２は、選局ボタン３２０（選局ボタン３２０の中の任意のボタン）を操作したのが利用者Ｂであると特定したときに、選局ボタン３２０を有効に設定する。これによって送信部４から利用者Ｂのボタン操作（選局ボタン３２０の中の任意のボタンのボタン操作）に応じた操作指示（選局指示）の無線信号が送信される。
【００４６】
ステップＳ０４において制御部２は利用者によるボタン操作が終了したか否かを判定する。ボタン操作が終了したか否かは、例えば有効に設定しているボタン３から指が離れたとき（すなわち指紋センサ４ａによって指紋情報が読み取れなくなったとき）にボタン操作が終了したと判断する。或いは、有効に設定しているボタン３の操作に基づいて送信部４から操作指示の無線信号が送信されたとき、又は、ボタン３のボタン操作を有効にしてから所定時間経過した時にボタン操作が終了したと判断することとしてもよい。
【００４７】
ボタン操作が終了しているときは（ステップＳ０４のＹ）ステップＳ０５に進みボタンの有効／無効設定を初期状態に戻す（本実施形態においては無効に設定する）。ボタン操作が終了してないときは（ステップＳ０４のＮ）ステップＳ０４に戻る。
【００４８】
本実施形態によれば、認証情報読取部４を兼ねるボタン３を操作すると利用者の指紋情報が読み取られる。読み取られた指紋情報は、記憶部６に記憶されている指紋情報に照合される。一致する指紋情報が存在する場合にはボタン操作の許否情報に基づいて、操作された３ボタンの有効又は無効が設定される。これによって利用者毎に操作されたボタンの有効又は無効が設定される。
【００４９】
また、利用者毎にボタン操作の許否情報、すなわち特定の利用者に対してどのボタンを有効（使用可能）とし、どのボタンを無効（使用不可）とするかを変更することができる。
【００５０】
また、全てのボタン３が認証情報読取部４を兼ねることとすれば、全てのボタン３のボタン操作を行う度に指紋認証を行う。従ってよりセキュリティが向上する。一方、一部のボタン３が認証情報読取部４を兼ねることとすれば、例えば一部の重要なボタン３に絞ってボタン操作を行う度に指紋認証を行う。従って全てのボタン３が認証情報読取部４を兼ねるのに比べて指紋センサ４ａを少なくすることができ、リモコン装置１の小型化し、コストが削減される。
【００５１】
[第２実施形態]
本実施形態のリモコン装置１の制御部２が実行する処理について図５を参照して説明する。なお、図５のフローチャートのステップＳ１１〜１２は夫々図４のフローチャートのステップＳ０１〜０２と同一であるため説明を省略する。
【００５２】
ステップＳ１３において制御部２は、ステップＳ１２において指紋情報が一致した利用者に対応付けられた許否情報に基づいて有効／無効設定可能な全てのボタン（本実施形態では電源ボタン３１０、選局ボタン３２０、メニュー操作ボタン３３０、録画再生ボタン３４０）の有効／無効を設定する。
【００５３】
図３を参照して、例えば制御部２は、電源ボタン３１０を操作したのが利用者Ｅであると特定したときに、選局ボタン３２０は無効の設定を維持しつつ、電源ボタン３１０、メニュー操作ボタン３３０、録画再生ボタン３４０を有効に設定する。これによって送信部４から利用者Ｂのボタン操作（電源ボタン３１０の操作）に応じた操作指示（電源のＯＮ／ＯＦＦ）の無線信号が送信される。
【００５４】
ステップＳ１４において制御部２は有効／無効設定可能な全てのボタンの有効／無効を設定してから所定時間経過したか否かを判定する。なお、制御部２は、有効／無効設定可能な全てのボタンの有効／無効を設定した時点を、指紋情報が一致する度に更新することとしてもよい。以下、図３を参照して説明する。
【００５５】
例えば電源ボタン３１０を操作したのが利用者Ｅであると特定されると、制御部２は電源ボタン３１０、メニュー操作ボタン３３０、録画再生ボタン３４０を有効に設定する（この設定時点を「第１設定時点」という。）。ここで例えば利用者Ｅが第１設定時点から所定時間経過前にメニュー操作ボタン３３０を操作したとする。すると制御部２は再びメニュー操作ボタン３３０を操作したのが利用者Ｅであると特定して電源ボタン３１０、メニュー操作ボタン３３０、録画再生ボタン３４０を有効に設定する（この設定時点を「第２設定時点」という。なお、実質的には第１設定時点での設定が維持される。）。このような状況において制御部２は所定時間が経過したか否かを第２の設定時点を基準として判定する。
【００５６】
有効／無効設定可能な全てのボタン３の有効／無効を設定してから所定時間経過したときは（ステップＳ１４のＹ）ステップＳ１５に進み有効／無効設定可能な全てのボタンの有効／無効設定を初期状態に戻す（本実施形態においては全てのボタン３を無効に設定する）。有効／無効設定可能な全てのボタンの有効／無効を設定してから所定時間経過していないときは（ステップＳ１４のＮ）ステップＳ１４に戻る。
【００５７】
本実施形態によれば第１実施形態と同様の効果を奏する。加えて、一度、指紋情報が一致すれば所定時間、有効又は無効を設定可能な全てのボタン３の有効又は無効が設定される。従って、その所定時間内であれば操作可能になる。これによって所定時間内であれば、認証判定の厳格化や指紋情報の読み込みエラー等により指紋情報が一致しなくても使用可能になる。
【００５８】
ここで認証判定について補足する。上述したように、指紋情報が一致するか否かの判定（認証判定）は、指紋情報の照合率が閾値以上であるか否かに基づいて判定する。この閾値は低くすると第三者の指紋情報と登録者の指紋情報を一致すると判定してしまうおそれがある。一方、閾値を高くすると登録者の指紋情報であっても一致しないと判定してしまうおそれがある。そこで指紋情報が一致すると判定されてから所定時間は指紋情報が一致するか否かに関わらず先に有効に設定されたボタンのボタン操作を可能とすることで認証判定を厳格化してもスムーズにボタン操作を行うことができる。
【００５９】
[第３実施形態]
本実施形態のリモコン装置１の制御部２が実行する処理について図７を参照して説明する。なお、図７のフローチャートのステップＳ３１〜３２、ステップＳ３４〜３６は夫々図４のフローチャートのステップＳ０１〜０２、ステップＳ０３〜０５と同一であるため説明を省略する。
【００６０】
図６は本実施形態のリモコン装置の構成を示すブロック図である。図１に示すリモコン装置１と同一部分には同一の符号を付して説明を省略する。リモコン装置１１は制御部２、ボタン３、通信部５、記憶部６、監視設定部７、報知部８を備える。
【００６１】
監視設定部７はリモコン装置１の使用を監視するか否かを設定する設定手段である。報知部８は各種情報を報知する報知手段である。報知手段は特に制限されないが、記憶部６に登録されている利用者以外の利用者によってリモコン装置１が使用されたこと（ボタン３が操作されたこと）を報知するのに適した態様であることが望ましく、スピーカ（不図示）を介して行われる音声案内（音声出力）、表示手段（図示しないテレビ装置等の表示手段）を介して行われる文字や画像等の画面表示が例として挙げられる。なお、音声出力と画面表示を同時に行うこととしてもよい。
【００６２】
ステップＳ３２において指紋情報が一致しなければ（ステップＳ３２のＮ）ステップＳ３３に進む。ステップＳ３３において制御部２は所定の制御を行う。所定の制御は記憶部６に登録されている利用者以外の利用者によってボタン操作がなされたことを知らせる制御であればよい。以下、所定の制御について説明する。なお、「記憶部６に登録されている利用者以外の利用者」を「第三者」ともいい、「記憶部６に登録されている利用者」を「登録者」ともいう。
【００６３】
例えば制御部２は所定の制御として、第三者の認識情報とボタン操作時刻とを対応付けて履歴情報として記憶部６に記憶する。これによって登録者は履歴情報をみる（例えば表示画面に表示させる）ことでいつ第三者によりボタン操作がなされたかを知ることができる。
【００６４】
また例えば制御部２は所定の制御として、報知部８を介して第三者によりボタン操作が行われたことを報知する。これによって登録者は第三者によりボタン操作がなされたことを知ることができる。
【００６５】
なお、本フローチャートによれば、第三者によりボタン操作がなされれば常に所定の制御が行われることになる。一方、知人等を自宅に招いている場合など第三者が存在していることを登録者自身が知っている場合には所定の制御を行う必要がない。そこで例えば監視設定部７により監視設定がなされている（監視設定部７がＯＮになっている）ときに限り所定の制御を行うこととしてもよい。
【００６６】
例えばステップＳ３２においてＮＯと判定されたときに監視設定がなされているか否かを判定し、監視設定がなされていればステップＳ３３に進むこととしてもよい。また、例えばステップＳ３１においてＹＥＳと判定されたときに監視設定がなされているか否かを判定し、監視設定がなされていればステップＳ３２に進んでステップＳ３２においてＮＯと判定されたときにステップＳ３３に進み、ＹＥＳと判定されたときには処理を終了することとしてもよい。つまり監視設定がなされているときには登録者であってもボタン操作を有効にしないこととしてもよい。
【００６７】
本実施形態によれば第１実施形態と同様の効果を奏する。加えて、指紋情報が一致しない利用者によりボタン操作が行われたときに所定の制御を行う。従って、指紋情報が一致しない者によりボタン操作が行われたことを知らせることができる。
【００６８】
また、指紋情報が一致しない利用者によりボタン操作が行われ、且つ、監視設定がなされているときに限り所定の制御が行われる。従って、過度に所定の制御が行われるのを防ぐことができる。
【００６９】
また、第三者の指紋情報とボタン操作時刻とを対応付けて記憶する。従って、例えば第三者の指紋情報とボタン操作時刻を表示手段に表示させることで、いつ第三者によってボタン操作が行われたかを知ることができる。
【００７０】
また、報知部８を介して第三者によりボタン操作が行われたことを報知する。従って、第三者によってボタン操作が行われたことを知ることができる。
【００７１】
[その他]
上記各実施形態ではボタン３が指紋情報読取部を兼ねていることとしたが、これとは別に、ボタン３とは独立した認証情報読取部（以下、「ボタン３とは独立した認証情報読取部」を「他の認証情報読取部」ともいう。）を備えることとしてもよい。
【００７２】
そして当該他の認証情報読取部によって読み取られた認証情報が、記憶部６に記憶されている認証情報のいずれかに一致するときに認証中又は認証してから所定時間、有効又は無効を設定可能な全てのボタンの有効又は無効を設定することとする。
【００７３】
これによってボタン操作を行う度に認証情報が一致するか否かを判定する必要がなくなるので、認証情報の読み取りにエラーが発生した場合や、認証情報が一致するか否かの判定を厳格にした場合であってもボタン操作をスムーズに行うことができる。
【符号の説明】
【００７４】
１、１１      リモコン装置
２            制御部
３            ボタン
４            識別情報読取部
５            通信部
６            記憶部
７            監視設定部
８            報知部
【図１】
2014045419.tif 000003
【図２】
2014045419.tif 000004
【図３】
2014045419.tif 000005
【図４】
2014045419.tif 000006
【図５】
2014045419.tif 000007
【図６】
2014045419.tif 000008
【図７】
2014045419.tif 000009